(57)【要約】【課題】  着信報知音やその他設定により出力される警告報知音の音量の調節を簡易にできる報知音出力装置、通信装置の報知音出力制御方法、報知音出力制御プログラムを提供する。【解決手段】  電話着信時や電子メール着信時に着信報知音を発する機能と、スケジュール管理機能によるスケジュールの管理に伴う警告報知音を発する機能を備える通信機５０の動作を制御する主制御部１５０を以下のように構成する。  主制御部１５０は、主音量設定部１５５とスケジュール管理部１５３と電話／電子メール着信処理部１５９を備える。主音量設定部１５５により、着信報知音及び警告報知音の音量の基準となる主音量が設定される。アラーム音設定部１５７は、主音量に連動させて警告報知音を制御する処理を行う。着信報知音設定部１５８は、主音量に連動させて着信報知音を制御する処理を行う。【選択図】  図４
2006186644.tif 000002
【特許請求の範囲】
【請求項１】
報知音を出力する出力手段と、
外部からの着信を検出する着信検出手段と、
この着信検出手段により外部からの着信を検出すると、前記出力手段による報知音の出力を指示する第１の出力指示手段と、
予め設定された当該装置内部の処理に従って、前記出力手段による報知音の出力を指示する第２の出力指示手段と、
前記出力手段によって出力される報知音の主音量を設定する主音量設定手段と、
この主音量設定手段により設定された主音量に連動させて、前記第１の出力指示手段によって出力指示される報知音、または、前記第２の出力指示手段によって出力指示される報知音の少なくとも何れかの出力音量を制御する音量制御手段と
を備えることを特徴とする報知音出力装置。
【請求項２】
前記報知音の出力音量の連動範囲を設定するための連動範囲設定手段をさらに備えることを特徴とする請求項１に記載の報知音出力装置。
【請求項３】
入力手段をさらに備え、
前記主音量設定手段は、前記入力手段による入力内容に基づき主音量を設定することを特徴とする請求項１または２に記載の報知音出力装置。
【請求項４】
周囲の騒音レベルを検出する雑音検出手段をさらに備え、
前記主音量設定手段は、前記雑音検出手段により検出された騒音レベルに対応させて主音量を設定することを特徴とする請求項１乃至３のいずれかに記載の報知音出力装置。
【請求項５】
報知音を出力する出力部と無線通信部とを備えた通信装置における報知音出力制御方法であって、
前記無線通信部による外部からの着信を検出する着信検出ステップと、
この着信検出ステップにて外部からの着信を検出すると、前記出力部による報知音の出力を指示する第１の出力指示ステップと、
予め設定された当該装置内部の処理に従って、前記出力部による報知音の出力を指示する第２の出力指示ステップと、
前記出力部より出力される報知音の主音量を設定する主音量設定ステップと、
この主音量設定ステップにより設定された主音量に連動させて、前記第１の出力指示ステップにて出力指示される報知音、または、前記第２の出力指示ステップにて出力指示される報知音の少なくとも何れかの出力音量を制御する音量制御ステップと
からなることを特徴とする報知音出力制御方法。
【請求項６】
報知音を出力する出力部と無線通信部とを備えたコンピュータに、
前記無線通信部による外部からの着信を検出する着信検出ステップと、
この着信検出ステップにて外部からの着信を検出すると、前記出力部による報知音の出力を指示する第１の出力指示ステップと、
予め設定された当該装置内部の処理に従って、前記出力部による報知音の出力を指示する第２の出力指示ステップと、
前記出力部より出力される報知音の主音量を設定する主音量設定ステップと、
この主音量設定ステップにより設定された主音量に連動させて、前記第１の出力指示ステップにて出力指示される報知音、または、前記第２の出力指示ステップにて出力指示される報知音の少なくとも何れかの出力音量を制御する音量制御ステップと
を実行させることを特徴とする、報知音出力制御プログラム。
【発明の詳細な説明】
【技術分野】
【０００１】
本発明は、特に携帯電話等の通信機に適用される報知音出力装置、通信装置の報知音出力制御方法、報知音出力制御プログラムに関する。
【背景技術】
【０００２】
信号の送受信を行う通信機として携帯電話機がある。そして、従来の携帯電話機には、通話の呼び出しにおける電話着信時の着信報知音の音量が調節されるようにされたものがある（例えば、特許文献１、２、３参照）。
【０００３】
また、従来の携帯電話機には、電子メールを送受信できるものや、スケジュール管理機能を備えるものがある。この電子メールを送受信できる携帯電話機では、電子メール着信時に着信報知音を発する（特許文献１参照）。また、スケジュール管理機能を備える携帯電話機では、予め設定したスケジュールに基づき、特定のイベントの時間が到来すると、警告報知音（アラーム音）を発する（特許文献１参照）。
【０００４】
そして、この電子メール着信時などに着信報知音を発し、スケジュール管理に基づく特定のイベント到来時に警告報知音を発する携帯電話機では、これら報知音の音量が調節されるようにされている（特許文献１参照）。
【特許文献１】特開２００３−１５２８２６号公報
【特許文献２】特開平８−２５１２５７号公報
【特許文献３】特開平１０−３０４０３０号公報
【発明の開示】
【発明が解決しようとする課題】
【０００５】
しかし、従来の携帯電話機では、電話着信時の着信報知音や、スケジュール管理に基づく警告報知音の音量を調節するにあたり、これらを個別に設定しなければならなかった。そのため、周囲の騒音レベル等に合わせて、前記報知音の音量を調節しようとすると、これらの音量設定を一つずつ変更しなければならず、操作が煩雑となっていた。
【０００６】
そこで、本発明は、着信報知音やその他設定により出力される警告報知音の音量の調節を簡易にできる報知音出力装置、通信装置の報知音出力制御方法、報知音出力制御プログラムを提供することを目的とする。
【課題を解決するための手段】
【０００７】
上記課題を解決するため、本発明の第１の観点に係る報知音出力装置は、報知音を出力する出力手段と、外部からの着信を検出する着信検出手段と、この着信検出手段により外部からの着信を検出すると、前記出力手段による報知音の出力を指示する第１の出力指示手段と、予め設定された当該装置内部の処理に従って、前記出力手段による報知音の出力を指示する第２の出力指示手段と、前記出力手段によって出力される報知音の主音量を設定する主音量設定手段と、この主音量設定手段により設定された主音量に連動させて、前記第１の出力指示手段によって出力指示される報知音、または、前記第２の出力指示手段によって出力指示される報知音の少なくとも何れかの出力音量を制御する音量制御手段とを備えることを特徴としている。
【０００８】
本発明の報知音出力装置によると、前記主音量設定手段により主音量が設定されると、外部からの着信検出による着信報知音の音量、または、警告音等予め設定された当該装置内部の処理に従って出力される報知音の音量の少なくとも何れかが前記音量制御手段により前記主音量に連動して制御される。
【０００９】
これにより、前記着信報知音、警告等の予め設定された内部処理に伴う報知音の音量を個別に変更する必要が無いので、ユーザにとって、報知音量の調節操作を煩雑にすることなく簡易にできる。
【００１０】
また、前記報知音出力装置は、前記報知音の音量を前記主音量に連動させて変化させる範囲を設定するための連動範囲設定手段をさらに備える。
【００１１】
これにより、前記報知音出力装置はさらに、連動範囲に基づいて、主音量に連動して報知音の出力音量を制御することができる。
【００１２】
また、入力手段をさらに備えることにより、前記主音量設定手段を、例えばユーザの前記入力手段への入力操作に基づき前記主音量を設定するようにすることができる。これにより、前記ユーザの判断に応じて、適正な主音量を設定することができる。
【００１３】
また、前記報知音出力装置に周囲の騒音レベルを検出する雑音検出手段をさらに設け、
前記主音量設定手段は、前記雑音検出手段により検出された騒音レベルに対応させて自動的に主音量を設定することができる。
【００１４】
この発明によると、前記雑音検出手段が検出した前記騒音レベルに応じて、適正な主音量が自動的に設定されるので、報知音の音量の調節をより簡易にできる。
【００１５】
また、本発明の第２の観点に係る通信機の音量調節方法は、報知音を出力する出力部と無線通信部とを備えた通信装置における報知音出力制御方法であって、前記無線通信部による外部からの着信を検出する着信検出ステップと、この着信検出ステップにて外部からの着信を検出すると、前記出力部による報知音の出力を指示する第１の出力指示ステップと、予め設定された当該装置内部の処理に従って、前記出力部による報知音の出力を指示する第２の出力指示ステップと、前記出力部より出力される報知音の主音量を設定する主音量設定ステップと、この主音量設定ステップにより設定された主音量に連動させて、前記第１の出力指示ステップにて出力指示される報知音、または、前記第２の出力指示ステップにて出力指示される報知音の少なくとも何れかの出力音量を制御する音量制御ステップとからなることを特徴としている。
【００１６】
本発明によると、前記主音量ステップにて主音量が設定されると、外部からの着信検出による着信報知音の音量、または、警告音等予め設定された当該装置内部の処理に従って出力される報知音の音量の少なくとも何れかが前記音量制御ステップにて前記主音量に連動して制御される。
【００１７】
これにより、前記着信報知音、警告等の予め設定された内部処理に伴う報知音の音量を個別に変更する必要が無いので、ユーザにとって、報知音量の調節操作を煩雑にすることなく簡易にできる。
【００１８】
また、本発明の第３の観点に係る通信機の音量調節プログラムは、報知音を出力する出力部と無線通信部とを備えたコンピュータに、前記無線通信部による外部からの着信を検出する着信検出ステップと、この着信検出ステップにて外部からの着信を検出すると、前記出力部による報知音の出力を指示する第１の出力指示ステップと、予め設定された当該装置内部の処理に従って、前記出力部による報知音の出力を指示する第２の出力指示ステップと、前記出力部より出力される報知音の主音量を設定する主音量設定ステップと、この主音量設定ステップにより設定された主音量に連動させて、前記第１の出力指示ステップにて出力指示される報知音、または、前記第２の出力指示ステップにて出力指示される報知音の少なくとも何れかの出力音量を制御する音量制御ステップとを実行させることを特徴としている。
【００１９】
本発明によると、前記主音量ステップにて主音量が設定されると、外部からの着信検出による着信報知音の音量、または、警告音等予め設定された当該装置内部の処理に従って出力される報知音の音量の少なくとも何れかが前記音量制御ステップにて前記主音量に連動して制御される。
【発明の効果】
【００２０】
本発明によると、着信検出に伴う報知音の音量、または、警告音等の予め設定された当該装置内部の処理に従って出力される報知音の音量を、これら音量の基準となる主音量に連動させて制御する。これにより、主音量の音量を変更することにより、着信検出に伴う報知音の音量及び警告音等の報知音の音量を変更できるので、着信報知音及び警告報知音の音量の調節を簡易にできる。
【発明を実施するための最良の形態】
【００２１】
本発明の実施形態について、図１乃至図１５を参酌しつつ説明する。以下に説明する本発明の一実施形態である携帯電話機５０は、本発明の一実施形態である報知音出力装置が適用される通信機の一例として実施される。また、本発明の一実施形態である報知音出力制御方法は、以下に説明する携帯電話機５０により実施することができる。
【００２２】
図１、図２は本発明の一実施形態である携帯電話機５０の外観を示す図である。図１は、携帯電話機５０を開いた状態で正面部分を眺めた状態を表す平面図である。
【００２３】
図２は、閉じた状態の携帯電話機５０の外観を示す図である。図２には、図１に表される携帯電話機５０の正面に対する背面側が示される。図２（ａ）は、閉じた状態の携帯電話機５０の蓋部５３を表す平面図である。図２（ｂ）は、閉じた状態の携帯電話機５０の本体部５１を表す平面図である。
【００２４】
図１に示すように、携帯電話機５０は、本体部５１とヒンジ部５２と蓋部５３を備えている。本体部５１と蓋部５３とはヒンジ部５２によって連結されている。ヒンジ部５２の内側には、本体部５１側に固定された図１に図示されない固定軸が設けられている。この固定軸の回りに、本体部５１に対して蓋部５３を回転させ、蓋部５３と本体部５１とを開閉することができる。
【００２５】
蓋部５３の正面には、スピーカ１０１及びメイン表示部１０２が設けられている。スピーカ１０１は、通話に伴う音声を出力する。スピーカ１０１は、携帯電話機５０が受信した通話音の音声信号に基づく音声を出力する。
【００２６】
メイン表示部１０２は、モニタ画面を備えて構成されている。メイン表示部１０２のモニタ画面は、携帯電話機に組み込むことが可能なディスプレイデバイスにより構成される。このモニタ画面を、１６：９ワイド液晶により構成することができる。
【００２７】
メイン表示部１０２のモニタ画面には、携帯電話機５０を動作させる条件情報を入力するための各種のメニュー表示や、着信報知音や警告報知音の音量を設定するための音量スケール及び音量設定オペレータが表示される。
【００２８】
また、メイン表示部１０２に、漢字、数字や各種の記号等を表示することができる。これにより、携帯電話機５０より送信するメールをメイン表示部１０２に表示しつつ編集することができ、また受信したメールをメイン表示部１０２に表示して確認することもできる。
【００２９】
本体部５１には、カメラキー１０４、マイク１１４、報知用ＬＥＤ１１７、報知用スピーカ１２０、メールキー１０５、十字キー１０６、決定キー１０７、アドレス帳キー１０８、ネット接続キー１０９、クリアキー１１０、オンフックキー１１１、１１２、テンキー部１１３が設けられ、マイク１１４の近傍にアンテナ１０３を内蔵している。
【００３０】
マイク１１４は、携帯電話機５０により他の電話機と通話を行う場合に、携帯電話機５０のユーザによる通話音を受音する。マイク１１４は、ユーザの通話音を受音すると、この通話音を音声信号に変換し、携帯電話機５０内の音声信号を処理するための回路ブロックに出力する。
【００３１】
報知用ＬＥＤ１１７は、携帯電話機５０への他の電話機による通話呼び出しがあった時（電話着信時）や、電子メールの送信を着信した時（電子メール着信時）に、これらの着信を発光動作によって報知する。
【００３２】
報知用スピーカ１２０は、図１、図２（ｂ）に示されるように、本体部５１の正面側から背面側にわたって設けられている。報知用スピーカ１２０は、電話着信時や電子メール着信時の着信報知音や、スケジュール管理に基づく警告報知音の音声を出力する。
【００３３】
メールキー１０５は、電子メールに関する機能を実行するためのメールモードに移行するキーである。メールキー１０５を操作することにより、着信した電子メールの取り込みや、取り込んだ電子メールをメイン表示部１０２に表示させることができる。また、メールキー１０５の操作を介して、送信したい電子メールを編集するためのメール編集モードに設定することもできる。また、メールキー１０５の操作を介して、電子メールを送信することもできる。
【００３４】
十字キー１０６は、メイン表示部１０２に表示されたカーソルを移動させるための操作キーである。文字等の入力を可能とする入力モードとされると、入力操作を行うためのカーソルがメイン表示部１０２に表示されるが、このカーソルを十字キー１０６の操作により移動させることができる。
【００３５】
決定キー１０７は、選択した内容を決定する入力を行うための操作キーである。例えば、決定キー１０７を操作することにより、メイン表示部１０２に表示させた文字中よりカーソルの操作により選択した文字の入力を決定する等を行う。
【００３６】
アドレス帳キー１０８は、メイン表示部１０２にアドレス帳を表示するための操作キーである。このアドレス帳キー１０８を操作することにより、記録されている他のユーザのアドレスの一覧をメイン表示部１０２に出力することができる。このアドレスは、電子メールの送信時に送信先の指定に用いることができる。
【００３７】
ネット接続キー１０９は、携帯電話機５０をインターネットに接続し、電子メールや他の電子データをインターネットを介して他の端末機器との間で送受信するための操作キーである。
【００３８】
クリアキー１１０は、キャンセル指示用の操作キーであり、他の操作キーを操作して入力した操作内容を取り消すための操作キーである。クリアキー１１０以外の操作キーにより入力した操作内容について、決定キー１０７によって決定する前であれば、クリアキー１１０の操作によって取り消すことができる。
【００３９】
第一のオンフックキー１１１は、携帯電話機５０を他の電話機に対して発信を行い得る状態に設定するための操作キーである。このオンフックキー１１１の操作により発信可能な状態とした後に、発信先（通話する相手方）の電話番号を入力することができる。
【００４０】
第二のオンフックキー１１２は、通話を終了するための通話オフキーと電源をオン／オフ（ＯＮ／ＯＦＦ）するための電源キーを兼ねている。通話オフキーとして機能させる場合、通話中に第二のオンフックキー１１２を押し下げる操作を行うと、携帯電話機５０は相手方の電話機との通信動作を終了する。
【００４１】
一方、電源キーとして機能させる場合、第二のオンフックキーを長押しする操作を行うと、電源オフされた状態から電源オンし、又は電源オフされた状態から電源オンすることができる。
【００４２】
テンキー部１１３には、いわゆるテンキーが設けられている。テンキー部１１３には、０から９までの一桁の数字を表す１０の数字キー、四則演算を表す＋、−、×、÷の記号、♯、＊の記号等を表すキーが配置されている。１０個の数字キーを操作することにより、通話を希望する相手方の電話番号を入力することができる。
【００４３】
なお、以上に説明した各種の操作キーには、具体的に説明しなかった所定の内容の入力を行い、携帯電話機５０に所定の動作を行わせ得るものがある。そして、以上に説明した操作キーを単独又は組み合わせて操作することにより、携帯電話機５０の各種の動作モードを起動することができる。そして、所定の操作キーを所定の操作することにより、後に説明する主音量設定モード、アラーム音設定モード、着信報知音設定モードを起動することができる。
【００４４】
次に、携帯電話機５０の信号処理にかかるブロックについて、図３により説明する。図３は、携帯電話機５０の機能ブロック図である。携帯電話機５０は、図３に示すように、上記アンテナ１０３と、無線部１３０と、キー入力部１０４〜１１３、と、メモリ１３５と、主制御部１５０と、メイン表示部１０２と、音声入出力部１６５と、スピーカ制御部１６６を備えている。
【００４５】
アンテナ１０３は、携帯電話機５０に送信された無線信号を受信し、又は携帯電話機５０より無線信号を送信する。アンテナ１０３が受信した信号は無線部１３０に入力され、又は無線部１３０より出力された信号はアンテナ１０３より送信される。
【００４６】
無線部１３０は、ＰＳＫ（Phase Shift Keying(位相シフト変調）)方式に基づく変復調、ＣＤＭＡ（Code Division Multiple Access（符号分割多重））方式に基づく無線処理を行う。
【００４７】
無線部１３０は、携帯電話機５０が受信機となる場合には、入力された信号を復調する処理を行い、復調した信号を主制御部１５０に出力する。また、無線部１３０は、電話着信時に、電話着信検出信号（電話着信検出トリガー）を主制御部１５０に出力する。また、無線部１３０は、電子メール着信時に、電子メール着信検出信号（電子メール着信検出トリガー）を主制御部１５０に出力する。
【００４８】
また、無線部１３０は、携帯電話機５０が送信機となる場合には、主制御部１５０より入力された信号を変調する処理を行い、変調した信号をアンテナ１０３へ出力する。
【００４９】
キー入力部は、カメラキー１０４、メールキー１０５、十字キー１０６、決定キー１０７、アドレス帳キー１０８、ネット接続キー１０９、クリアキー１１０、オンフックキー１１１、１１２、及びテンキー部１１３のテンキーに相当し、これらのキーの各々の操作に基づく操作キー判別信号が入力される。そして、これらの操作を検出することにより、携帯電話機５０の操作キーに対する操作の内容を検出し、操作キーに対する操作の内容を表す操作検出信号を主制御部１５０に出力する。
【００５０】
尚、カメラキー１０４、メールキー１０５、十字キー１０６、決定キー１０７、アドレス帳キー１０８、ネット接続キー１０９、クリアキー１１０、オンフックキー１１１、１１２、及びテンキー部１１３より入力される操作キー判別信号は各々の操作キーに対応した信号であり、これらの信号は、主制御部１５０に出力される。この信号に基づき、主制御部１５０は操作された操作キーや操作内容を検出する。
【００５１】
なお、同一の操作キーが操作される場合であっても、動作モードが異なる等に応じて入力内容が異なる場合があり、一つの操作キーに割り当てられた動作モードの違いによる入力内容の違いは、動作モードと入力操作検出信号とにより検出される。
【００５２】
メモリ１３５は、ダウンロードされるプログラムを含むアプリケーションプログラムや、送信された電子メールを記憶する。
【００５３】
電子メールの着信があった場合に、所定の操作キーにより電子メールを取り込む操作を行うと、この電子メールをメモリ１３５に格納することができる。メモリ１３５には、電子メールが格納されるフォルダが形成されている。
【００５４】
そして、メモリ１３５には、電子メールを保管するための電子メール保管用フォルダとして、フォルダ１からフォルダ１０までの１０個のフォルダが形成されている。携帯電話機５０が電子メールを受信すると、受信した電子メールは、その種類等に応じて、前記電子メール保管用フォルダ１から電子メール保管用フォルダ１０のいずれかに格納される。
【００５５】
また、迷惑メールなど、電子メール保管用フォルダのいずれにも振り分けることができない電子メールについては、受信フォルダに格納される。この受信フォルダは、メモリ１３５に前記電子メール保管用フォルダ以外のフォルダとして形成される。
【００５６】
また、メモリ１３５には、携帯電話機５０によりスケジュール管理を行う場合のスケジュール管理の対象となるデータが記憶される。このスケジュールのデータは、メモリ１３５に展開されるスケジュール管理テーブルに記憶される。このスケジュール管理テーブルには、スケジュール管理の対象となる各イベントと、各イベントが到来する時間とが対応付けて記憶される。
【００５７】
メモリ１３５へのスケジュールの設定は、所定の操作キーの操作によるスケジュール設定の操作により行える。即ち、携帯電話機５０の所定の操作キーを操作し、スケジュール管理の対象とするイベントと、イベントが到来する時間とを入力する操作をユーザが行うと、入力されたデータはメモリ１３５に記憶される。
【００５８】
また、メモリ１３５には、音量設定テーブルが展開される。この音量設定テーブルには、前記スケジュール管理に基づく警告報知音の音量を制御するためのデータや、電話着信時や電子メール着信時の着信報知音の音量を制御するためのデータが格納される。
【００５９】
主制御部１５０は、携帯電話機５０の動作を制御する。主制御部１５０は、図示しない、ＣＰＵ（Central Processing Unit（中央処理装置））、ＲＯＭ（Read Only Memory（読み出し専用メモリ））、ＲＡＭ（Random Access Memory）を備えており、携帯電話機５０を制御可能に構成されている。主制御部１５０について、後に詳しく説明する。
【００６０】
音声入出力部１６５には、主制御部１５０に音声信号を入力するための処理、主制御部１５０より出力された信号に基づき音声出力機器により音声を出力するための処理を行う。音声入出力部１６５には、スピーカ１０１（通話音声用）、及びマイク１１４が接続されている。
【００６１】
携帯電話機５０がアンテナ１０３により受信した通話音の音声信号を含む受信信号は、無線部１３０で復調処理され、主制御部１５０で処理される。そして、主制御部１５０より出力された通話音の音声信号は、音声入出力部１６５に入力される。そして、この音声信号は、音声入出力部１６５を通ってスピーカ１０１に入力され、スピーカ１０１が通話音の音声を出力する。
【００６２】
また、マイク１１４により入力されたユーザの通話音の音声信号は、音声入出力部１６５を通って主制御部１５０に入力され処理される。そして、主制御部１５０で処理された音声信号は、無線部１３０に出力されて変調処理される。そして、無線部１３０で変調処理された音声信号を含む送信信号は、アンテナ１０３より相手の電話機へ送信される。
【００６３】
スピーカ制御部１６６は、報知用スピーカ１２０により、警告報知音や着信報知音を出力するための信号処理を行う。スピーカ制御部１６６には、主制御部１５０よりアラーム発生信号及び着信報知音発生信号が指示信号として入力される。そして、報知用スピーカ１２０は、アラーム発生信号に基づく警告報知音を発生し、着信報知音発生信号に基づく着信報知音を発生する。
【００６４】
次に、主制御部１５０について、図４も参酌しつつ説明する。図４は、主制御部１５０の機能ブロック図であり、主制御部１５０をより詳しく示している。主制御部１５０は、図４に示すように、計時部１５１とスケジュール設定部１５２とスケジュール管理部１５３と音量設定部１５５と電話／電子メール着信処理部１５９を備えている。
【００６５】
計時部１５１は、時間をモニターする処理を行い、時間のデータを取得する。主制御部１５０は、制御動作を行うにあたって時間のデータを必要とする場合、計時部１５１より時間のデータを得る。
【００６６】
スケジュール設定部１５２は、スケジュール管理の対象となるスケジュールを設定する処理を行う。即ち、スケジュール設定部１５２は、ユーザによるスケジュール管理の対象となるスケジュールのデータの入力を受付け、入力されたスケジュールのデータをメモリ１３５に記憶する処理を行う。
【００６７】
携帯電話機５０がスケジュール管理機能によりスケジュール入力モードとされると、スケジュール設定部１５２は、ユーザによるスケジュールの入力を受け付けるためのスケジュール入力テーブルをメイン表示部１０２に表示する。
【００６８】
ユーザは、このスケジュール入力テーブルの表示に従い、スケジュール管理の対象となる各イベントと、各イベントが到来する時間とを入力することができる。そして、入力されたイベント及びイベントの到来時間のデータからなるスケジュールのデータはメモリ１３５のスケジュール管理テーブルに記憶される。
【００６９】
なお、メイン表示部１０２に表示されたスケジュール入力テーブルの構成に従ってユーザが入力を行うと、イベントとイベントの到来時間とが対応付けて入力されるようになっている。これにより、メモリ１３５のスケジュール管理テーブルには、各イベントについて、各々の到来時間と対応付けて記憶される。
【００７０】
図５は、メモリ１３５のスケジュール管理テーブルに記憶されるスケジュールの一例を示している。図５に示される例では、イベントとして、「会議開始」、「電話連絡」、「来客」が設定されている。
【００７１】
そして「会議開始」の到来時間として「１１月２０日１０時」が設定され、「電話連絡」を行うべき時間として「１１月２０日１１時」が設定され、「来客」の到来時間として「１１月２０日１４時」が設定されている。
【００７２】
スケジュール管理部１５３は、スケジュール設定部１５２により設定されたスケジュールのデータに基づき、スケジュール管理の処理を行う。スケジュール管理部１５３は、メモリ１３５のスケジュール管理テーブルに設定されたイベントの到来時間、及び現在時間のデータとを参照し、スケジュール管理を行う。なお、スケジュール管理部１５３は、スケジュール管理を行うための現在時間のデータを計時部１５１より適宜に取得する。
【００７３】
そして、スケジュール管理部１５３は、イベントの到来をモニターするよう予め設定されたイベントについて、以下の処理を行う。スケジュール管理部１５３は、現在時間がイベントの到来時間に一致するか否か検出する処理を行う。
【００７４】
そして、スケジュール管理部１５３は、現在時間がその到来をモニターするよう設定されたイベントの到来時間と一致することを検出すると、該検出を表す信号としてイベント到来検出トリガーを発生する。また、スケジュール管理部１５３は、現在時間がイベントの到来時間と一致することを検出すると、報知用スピーカ１２０により警告報知音（以下、「アラーム音」ともいう）を発すべく、アラーム発生信号をスピーカ制御部１６６に出力する。
【００７５】
アラーム発生信号は、報知用スピーカ１２０が出力する音量を表す音量データを含んでいる。アラーム発生信号が含む音量データは、スケジュール管理部１５３により求められる。スケジュール管理部１５３は、メモリ１３５の音量設定テーブルを参照し、前記アラーム音の音量を求める。
【００７６】
音量設定部１５５は、主音量設定部１５６とアラーム音設定部１５７と着信報知音設定部１５８を備える。主音量設定部１５６は、主音量を設定する処理を行う。主音量設定部１５６により設定される主音量は、アラーム音設定部１５７によるアラーム音の設定や着信報知音設定部１５８による着信報知音の設定の基準となる。
【００７７】
主音量設定部１５６による主音量の設定について、図６も参酌しつつ説明する。図６は、主音量を設定するための主音量設定モードにおいて表示されるメイン表示部１０２の表示画面の一例を示している。図６を参酌することにより、主音量を設定する操作を理解することができる。
【００７８】
携帯電話機５０の所定の操作キーの操作により、主音量設定モードを起動すると、主音量設定画面がメイン表示部１０２に表示される。図６に示すように、主音量設定画面には、音量レベルを表す音量スケールＳＣと、音量スケールＳＣに基づき音量レベルを設定するための音量設定オペレータＳＲが表示されている。
【００７９】
音量設定オペレータＳＲは、図６に示すように、音量スケールＳＣに沿って上下に移動させ、所望の音量レベルの位置にセットすることができる。この音量設定オペレータＳＲは、所定の操作キーにより移動操作するとともに、音量スケールＳＣ上の特定の位置へのセットを確定できるようにされている。
【００８０】
図６に示すように、音量レベルは、「消音」から「音量５」の範囲にわたって設定できる。「消音」は、音を全く発生させないことを意味しており、設定可能な最小の音量レベルである。「音量５」は、設定可能な最大の音量レベルにあたる。図６に示す例では、音量設定オペレータＳＲは、「音量５」にセットされている。
【００８１】
主音量設定部１５６により得られた主音量のデータは、メモリ１３５の音量設定テーブルに入力され、該テーブルに設定される。
【００８２】
アラーム音設定部１５７は、スケジュール管理に伴うアラーム音の音量を変化させる範囲を設定する処理を行う。即ち、アラーム音設定部１５７は、主音量設定部１５６により設定される主音量の音量レベルに連動させてアラーム音の音量レベルを変化させる連動範囲の条件を設定する処理を行う。
【００８３】
このアラーム音を主音量に連動させて変化させる連動範囲は、下限音量（最小値）と上限音量（最大値）とにより設定される。この連動範囲を設定するための下限音量及び上限音量は、前記主音量の設定と同様、メイン表示部１０２に表示された音量レベルを確認しつつ設定することができる。このアラーム音の音量を主音量に連動させて変化させる連動範囲の設定については、後に説明する。
【００８４】
このアラーム音設定部１５７により得られたアラーム音の最小値のデータ及び最大値のデータは、メモリ１３５の音量設定テーブルに入力され、該テーブルに設定される。
【００８５】
着信報知音設定部１５８は、電話着信時や電子メール着信時に発する着信報知音の音量を設定するための処理を行う。即ち、着信報知音設定部１５８は、主音量設定部１５６より設定される主音量の音量レベルに連動させて着信報知音の音量レベルを変化させる連動範囲の条件を設定する処理を行う。
【００８６】
着信報知音の音量レベルを主音量の音量レベルに連動させて変化させる連動範囲は、下限音量（最小値）と上限音量（最大値）とにより設定される。この連動範囲を設定するための下限音量及び上限音量は、前記主音量の設定と同様、メイン表示部１０２に表示された音量レベルを確認しつつ設定することができる。
【００８７】
この着信報知音設定部１５８により得られた着信報知音の最小値のデータ及び最大値のデータは、メモリ１３５の音量設定テーブルに入力され、該テーブルに設定される。
【００８８】
次に、アラーム音及び着信報知音を主音量に連動させて変化させる連動範囲の設定について説明する。まず、アラーム音を主音量に連動させて変化させる連動範囲の設定について、図７を参酌しつつ説明する。
【００８９】
図７は、アラーム音を設定するためのアラーム音設定モードにおいて表示されるメイン表示部１０２の表示画面の一例を示している。図７を参酌することにより、アラーム音を主音量に連動させて変化させる連動範囲を設定する操作を理解することができる。
【００９０】
携帯電話機５０の所定の操作キーの操作により、アラーム音設定モードを起動すると、アラーム音設定画面がメイン表示部１０２に表示される。図７に示すように、アラーム音設定画面には、音量レベルを表す音量スケールＳＣと、音量スケールＳＣに基づき音量レベルを設定するための最小音量設定オペレータＳＲＭ、最大音量設定オペレータＳＲＸが表示されている。
【００９１】
図７に示すように、音量スケールＳＣは、音量レベルをレベル「０」からレベル「５」の範囲で設定し得るように表示されている。レベル０は、音を全く発生させないことを意味しており、設定可能なレベルの最小値である。レベル５は、設定可能なレベルの最大値である。
【００９２】
最小音量設定オペレータＳＲＭは音量のレベルの最小値を設定するために表示され、最大音量設定オペレータＳＲＸは音量のレベルの最大値を設定するために表示される。これらオペレータＳＲＭ、ＳＲＸは、図７に示すように、音量スケールＳＣに沿って上下に移動させ、所望の音量のレベルの位置にセットすることができる。これらオペレータＳＲＭ、ＳＲＸは、所定の操作キーにより移動操作するとともに、音量スケールＳＣ上の特定の位置へのセットを確定できるようにされている。
【００９３】
図７に示す例では、最小音量設定オペレータＳＲＭはレベル４にセットされており、最大音量設定オペレータＳＲＸはレベル５にセットされている。これにより、アラーム音の最大値として、レベル５が設定される。また、アラーム音の最小値として、レベル４が設定される。例えば、主音量の音量レベルが「音量５」に設定されている場合、アラーム音の音量は「音量５」となる。一方、主音量が「消音」から「音量４」の範囲に設定されている場合、アラーム音の音量は「音量４」となる。
【００９４】
次に、電話着信時の着信報知音を主音量に連動させて変化させる連動範囲の設定について、図８、図９を参酌しつつ説明する。図８は、着信報知音設定モードにおいて表示されるメイン表示部１０２の表示画面の一例を示している。図９は、着信報知音設定モードにおいて表示されるメイン表示部１０２の表示画面の他の一例を示している。図８、図９を参酌することにより、電話着信時の着信報知音を主音量に連動させて変化させる連動範囲を設定する操作を理解することができる。
【００９５】
携帯電話機５０の所定の操作キーの操作により、通常着信（電話着信）時の着信報知音を設定するための設定モードを起動すると、電話着信報知音設定画面がメイン表示部１０２に表示される。
【００９６】
図８に示すように、電話着信報知音設定画面には、音量レベルを表す音量スケールＳＣと、音量スケールＳＣに基づき音量レベルを設定するための最小音量設定オペレータＳＲＭ、最大音量設定オペレータＳＲＸが表示されている。
【００９７】
図８に示すように、音量スケールＳＣは、音量レベルをレベル「０」からレベル「５」の範囲で設定し得るように表示されている。レベル０は、音を全く発生させないことを意味しており、設定可能なレベルの最小値である。レベル５は、設定可能なレベルの最大値である。
【００９８】
最小音量設定オペレータＳＲＭは音量レベルの最小値を設定するために表示され、最大音量設定オペレータＳＲＸは音量レベルの最大値を設定するために表示される。これらオペレータＳＲＭ、ＳＲＸは、図８に示すように、音量スケールＳＣに沿って上下に移動させ、所望の音量レベルの位置にセットすることができる。これらオペレータＳＲＭ、ＳＲＸは、所定の操作キーにより移動操作するとともに、音量スケールＳＣ上の特定の位置へのセットを確定できるようにされている。
【００９９】
図８に示す例では、最小音量設定オペレータＳＲＭはレベル０にセットされており、最大音量設定オペレータＳＲＸはレベル４にセットされている。これにより、電話着信時の着信報知音の最大値として、レベル４が設定される。また、電話着信時の着信報知音の最小値として、レベル０が設定される。例えば、主音量の音量レベルが「音量５」に設定されている場合、電話着信時の着信報知音の音量は「音量４」となる。
【０１００】
図９に示す例では、最小音量設定オペレータＳＲＭはレベル０にセットされており、最大音量設定オペレータＳＲＸはレベル５にセットされている。これにより、電話着信時の着信報知音の最大値として、レベル５が設定される。また、電話着信時の着信報知音の最小値として、レベル０が設定される。従って、例えば、主音量の音量レベルが「音量１」に設定されている場合、電話着信時の着信報知音の音量は「音量１」となる。
【０１０１】
次に、電子メール着信時の着信報知音を主音量に連動させて変化させる連動範囲の設定について、図１０、図１１を参酌しつつ説明する。図１０は着信報知音設定モードにおいて表示されるメイン表示部１０２の表示画面の一例を示し、図１１は表示画面の他の一例を示している。図１０、図１１を参酌することにより、電子メール着信時の着信報知音を主音量に連動させて変化させる連動範囲を設定する操作を理解することができる。
【０１０２】
図１０（ａ）は、メモリ１３５の受信フォルダへの電子メール着信時の着信報知音を設定するための表示画面の一例である。受信フォルダは、メモリ１３５の電子メール保管用フォルダ１乃至１０に保管されないメールが格納される。受信フォルダには、いわゆる迷惑メールなどの受信を希望しない電子メールが格納される。
【０１０３】
携帯電話機５０の所定の操作キーの操作により、受信フォルダへの電子メール着信時の着信報知音を設定するための設定モードを起動すると、図１０（ａ）に示すように、受信フォルダ着信報知音設定画面がメイン表示部１０２に表示される。
【０１０４】
図１０（ａ）に示すように、受信フォルダ着信報知音設定画面には、音量レベルを表す音量スケールＳＣと、音量レベルを設定するための最小音量設定オペレータＳＲＭ、最大音量設定オペレータＳＲＸが表示されている。
【０１０５】
図１０（ａ）に示すように、音量スケールＳＣは、音量レベルをレベル「０」からレベル「５」の範囲で設定し得るように表示されている。レベル０は、音を全く発生させないことを意味しており、設定可能なレベルの最小値である。レベル５は、設定可能なレベルの最大値である。
【０１０６】
最小音量設定オペレータＳＲＭは音量レベルの最小値を設定するために表示され、最大音量設定オペレータＳＲＸは音量レベルの最大値を設定するために表示される。これらオペレータＳＲＭ、ＳＲＸは、図１０（ａ）に示すように、音量スケールＳＣに沿って上下に移動させ、所望の音量レベルの位置にセットすることができる。これらオペレータＳＲＭ、ＳＲＸは、所定の操作キーにより移動操作するとともに、音量スケールＳＣ上の特定の位置へのセットを確定できるようにされている。
【０１０７】
図１０（ａ）に示す例では、最小音量設定オペレータＳＲＭ、最大音量設定オペレータＳＲＸともにレベル０にセットされている。これにより、受信フォルダへの電子メール着信時の着信報知音は、レベル０に設定される。これにより、受信フォルダへの電子メール着信時には着信報知音は発生せず、迷惑メールの着信時には着信報知音は発生しない。
【０１０８】
図１０（ｂ）は、メモリ１３５の電子メール保管用フォルダ（フォルダ１からフォルダ１０までの１０個のフォルダ）への電子メール着信時の着信報知音を設定するための表示画面の一例である。図１０（ｂ）では、フォルダ１とフォルダ１０についての設定画面が具体的に示されており、フォルダ２からフォルダ９についての設定画面の具体的な表示は省略されている。
【０１０９】
携帯電話機５０の所定の操作キーの操作により、電子メール保管用フォルダへの電子メール着信時の着信報知音を設定するための設定モードを起動すると、図１０（ｂ）に示すように、電子メール保管用フォルダ着信報知音設定画面がメイン表示部１０２に表示される。なお、図１０（ｂ）はフォルダ１からフォルダ１０までを示しているが、電子メール保管用フォルダ着信報知音設定画面は、個々のフォルダについての設定画面をメイン表示部１０２に順次に表示させ得るようになっている。
【０１１０】
図１０（ｂ）に示すように、電子メール保管用フォルダ着信報知音設定画面には、音量レベルを表す音量スケールＳＣと、音量スケールＳＣに基づき音量レベルを設定するための最小音量設定オペレータＳＲＭ、最大音量設定オペレータＳＲＸが表示されている。
【０１１１】
この音量スケールＳＣ、最小音量設定オペレータＳＲＭ、最大音量設定オペレータＳＲＸは、図１０（ａ）により説明した受信フォルダ着信報知音設定画面で表示されるものと同様である。
【０１１２】
図１０（ｂ）に示す例では、電子メール保管用フォルダ１、１０について、最小音量設定オペレータＳＲＭはレベル０にセットされており、最大音量設定オペレータＳＲＸはレベル３にセットされている。
【０１１３】
これにより、電子メール保管用フォルダ１、１０への電子メール着信時の着信報知音の最大値として、レベル３が設定される。また、電子メール保管用フォルダ１、１０への電子メール着信時の着信報知音の最小値として、レベル０が設定される。
【０１１４】
従って、例えば、主音量の音量レベルが「音量５」に設定されている場合、電子メール保管用フォルダ１、１０に電子メールが着信すると、着信報知音の音量は「音量３」となる。
【０１１５】
図１１（ａ）は、メモリ１３５の受信フォルダへの電子メール着信時の着信報知音を設定するための表示画面の他の一例である。図１１（ａ）に示す例では、最小音量設定オペレータＳＲＭはレベル０にセットされており、最大音量設定オペレータＳＲＸはレベル５にセットされている。
【０１１６】
これにより、受信フォルダへの電子メール着信時の着信報知音の最大値としてレベル５が設定され、着信報知音の最小値としてレベル０が設定される。従って、例えば主音量の音量レベルが「音量１」に設定されている場合、受信フォルダへの電子メール着信時の着信報知音の音量は「音量１」となる。
【０１１７】
図１１（ｂ）は、メモリ１３５の電子メール保管用フォルダへの電子メール着信時の着信報知音を設定するための表示画面の他の一例である。図１１（ｂ）に示す例では、電子メール保管用フォルダ１、１０について、最小音量設定オペレータＳＲＭはレベル０にセットされており、最大音量設定オペレータＳＲＸはレベル５にセットされている。
【０１１８】
これにより、電子メール保管用フォルダ１、１０への電子メール着信時の着信報知音の最大値としてレベル５が設定され、着信報知音の最小値としてレベル０が設定される。従って、例えば主音量の音量レベルが「音量１」に設定されている場合、電子メール保管用フォルダ１、１０への電子メール着信時の着信報知音の音量は「音量１」となる。
【０１１９】
以上に説明した音量設定部１５５による処理により、アラーム音や着信報知音の音量を制御するためのデータが、メモリ１３５の音量設定テーブルに記憶される。図１２は、音量設定テーブル１３６の構成を示す図であり、音量設定テーブルに展開される各データ領域を示している。
【０１２０】
例えば、音量設定テーブル１３６における主音量データ領域１３６ａには、主音量の設定値が格納される。また、通常着信音量連動範囲設定データ領域１３６ｂには、電話着信時の着信報知音を主音量に連動させて変化させる範囲を設定するための最大値のデータ及び最小値のデータが格納される。
【０１２１】
アラーム音量連動範囲設定データ領域１３６ｃには、アラーム音を主音量に連動させて変化させる範囲を設定するための最大値のデータ及び最小値のデータが格納される。電子メール着信音量連動範囲設定データ領域１３６ｄには、受信フォルダへの電子メールの着信時の着信報知音を主音量に連動させて変化させる範囲を設定するための最大値のデータ及び最小値のデータが格納される。
【０１２２】
電子メール着信音量連動範囲設定データ領域１３６ｅには、電子メール保管用フォルダ１への電子メールの着信時の着信報知音を主音量に連動させて変化させる範囲を設定するための最大値のデータ及び最小値のデータが格納される。電子メール着信音量連動範囲設定データ領域１３６ｆには、電子メール保管用フォルダ１０への電子メールの着信時の着信報知音を主音量に連動させて変化させる範囲を設定するための最大値のデータ、及び最小値のデータが格納される。
【０１２３】
なお、図１２には図示されないが、音量設定テーブル１３６には、電子メール保管用フォルダ２乃至９の各々への電子メールの着信時の着信報知音を主音量に連動させて変化させる範囲を設定するための最大値及び最小値のデータが格納される領域も形成されている。
【０１２４】
また、図４に示される電話／電子メール着信処理部１５９は、電話着信時や電子メール着信時の処理を行う。電話／電子メール着信処理部１５９は、電話着信時や電子メール着信時に着信報知音を発生させる処理を行う。
【０１２５】
電話／電子メール着信処理部１５９は、メモリ１３５の音量設定テーブル１３６を参照し、電話着信時の着信報知音の音量や、電子メール着信時の着信報知音の音量を求める。
【０１２６】
そして、電話／電子メール着信処理部１５９は、電話の着信や電子メールの着信を検出すると、前記着信報知音の音量のデータを含む着信報知音発生信号を、図３に示すスピーカ制御部１６６に出力する。なお、電話／電子メール着信処理部１５９は、電話着信検出トリガーや電子メール着信検出トリガーが主制御部１５０に入力されると、電話の着信や電子メールの着信を検出する。
【０１２７】
以上に説明した携帯電話機５０に、さらに雑音センサを設けることもできる。そして、この雑音センサにより周囲の騒音を検出し、騒音レベルに応じてアラーム音の音量や着信報知音の音量を制御することもできる。
【０１２８】
図１３は、雑音センサ１７０を設けた携帯電話機５０のブロック図である。図１３に示される携帯電話機５０のブロックは、雑音センサ１７０及び雑音センサ制御部１７１が設けられる部分を除き、図３及び図４により説明した携帯電話機５０のブロックと同様である。そして、図１３に示す携帯電話機５０の動作は、雑音センサ１７０により検出した騒音レベルに基づく制御を除き、図３及び図４に示す携帯電話機５０と同様である。
【０１２９】
図１３に示す携帯電話機５０では、雑音センサ１７０により検出された周囲の騒音レベルを表す騒音信号は、雑音センサ制御部１７１に入力される。そして、この騒音信号は、雑音センサ制御部１７１によりＡ／Ｄ変換等の処理され、主制御部１５０に入力される。主制御部１５０は、入力された騒音信号に基づき、周囲の雑音レベルを検出する。
【０１３０】
そして、主制御部１５０は、検出した雑音レベルに応じて主音量の音量の制御を行う。即ち、主制御部１５０は、周囲の騒音レベルが高い環境では、主音量の音量レベルを増大させ、周囲の騒音レベルが低い環境では、主音量の音量レベルを減少させる制御を行う。具体的には、主制御部１５０は、検出した騒音レベルに応じて、メモリ１３５の音量設定テーブル１３６の主音量データ領域１３６ａの主音量の設定値を変更する。
【０１３１】
即ち、主制御部１５０は、騒音レベルが高いことを検出すると、音量設定テーブル１３６の主音量データ領域１３６ａに設定される主音量のデータを、大きい音量値からなる音量データに変更する。一方、主制御部１５０は、騒音レベルが低いことを検出すると、音量設定テーブル１３６の主音量データ領域１３６ａに設定される主音量のデータを、小さい音量値からなる音量データに変更する。
【０１３２】
これにより、主音量の音量データは周囲の騒音レベルに応じて連続的に制御される。そして、主音量の音量データに連動して、スケジュール管理に伴うアラーム音や、電話着信時及び電子メール着信時の着信報知音も制御される。これにより、周囲の雑音レベルに応じて、アラーム音や着信報知音を自動的に変化させることができる。
【０１３３】
即ち、騒音レベルが高い環境では、アラーム音の音量や着信報知音の音量は自動的に増加するように制御される。一方、騒音レベルが低い環境では、アラーム音の音量や着信報知音の音量は自動的に減少するように制御される。
【０１３４】
次に、以上に説明した携帯電話機５０の動作について、図１４、図１５により説明する。図１４は、携帯電話機５０が、アラーム音や着信報知音を発生する処理を行う報知音発生処理のフローチャートである。図１５は、報知音量を決定する報知音量決定処理のフローチャートである。
【０１３５】
図１４に示すように、報知音を発生する処理を行うべき場合に発生するトリガー信号の検出を行う（ステップＳ１１）。即ち、スケジュール管理に伴うイベント到来検出トリガー、電話着信時の電話着信検出トリガー、又は電子メール着信時の電子メール着信検出トリガーが発生したか否か検出する。
【０１３６】
そして、ステップＳ１１においてトリガー信号を検出すると（ステップＳ１１、ＹＥＳ）、トリガー信号に基づき、電話着信があったか否か判断する（ステップＳ１２）。電話着信があったことを判断すると（ステップＳ１２、ＹＥＳ）、報知音量決定処理を行う（ステップＳ１３）。報知音量決定処理については、後に説明する。
【０１３７】
トリガー信号は検出したが（ステップＳ１１、ＹＥＳ）、電話着信はなかったと判断した場合（ステップＳ１２、ＮＯ）、スケジュール管理に基づくアラーム音を発生させる処理を行うべきか否か判断する（ステップＳ１４）。ステップＳ１４において、アラーム音を発生させる処理を行うべきことを判断すると（ステップＳ１４、ＹＥＳ）、報知音量決定処理を行う（ステップＳ１５）。
【０１３８】
ステップＳ１４において、アラーム音を発生させる処理を行うべきでないことを判断すると（ステップＳ１４、ＮＯ）、メモリ１３５の受信フォルダへの電子メールの着信があったか否か判断する（ステップＳ１６）。受信フォルダへの電子メールの着信があったと判断すると（ステップＳ１６、ＹＥＳ）、報知音決定処理を行う（ステップＳ１７）。
【０１３９】
ステップＳ１６において、受信フォルダへの電子メールの着信があったと判断しない場合（ステップＳ１６、ＮＯ）、電子メール保管用フォルダ１への電子メールの着信があったか否か判断する（ステップＳ１８）。電子メール保管用フォルダ１への電子メールの着信があったと判断すると（ステップＳ１８、ＹＥＳ）、報知音量決定処理を行う（ステップＳ１９）。
【０１４０】
ステップＳ１８において、電子メール保管用フォルダ１への電子メールの着信があったと判断しない場合（ステップＳ１８、ＮＯ）、図１４に具体的に図示されない手順により、電子メール保管用フォルダ２への電子メールの着信があったか否か判断する。電子メール保管用フォルダ２への電子メールの着信があったと判断すると、図示しない手順により報知音量決定処理を行う。
【０１４１】
以下、図示されない手順により同様に、電子メール保管用フォルダ３より順次に電子メールの着信があったか否か判断する。そして、電子メールの着信があったと判断した場合には、その着信があったと判断したフォルダについて報知音決定処理を行う。一方、電子メールの着信があったと判断しない場合には、次の電子メール保管用フォルダについて、電子メールが着信したか否か判断する。
【０１４２】
そして、電子メール保管用フォルダの各々について、電子メールが着信したか否か判断し、最終的に電子メール保管用フォルダ１０について判断する。そして、電子メール保管用フォルダ１０について、電子メールの着信があったと判断すると、報知音量決定処理を行う（ステップＳ２０）。
【０１４３】
そして、以上の処理により、報知音を発生するべき場合について、報知音の音量が決定されたので、決定された音量により報知音を発生させる（ステップＳ２１）。そして、報知音発生処理を終了する。
【０１４４】
次に、図１４に示されるステップＳ１３、Ｓ１５、Ｓ１７、Ｓ１９、Ｓ２０で実行される報知音量決定処理について、図１５を参酌しつつ説明する。以下の説明では、ステップＳ１３で実行する報知音量決定処理、即ち、電話着信時の着信報知音の報知音量を決定する処理の例により説明する。
【０１４５】
図１５に示すように、主制御部１５０は、メモリ１３５の音量設定テーブル１３６の主音量データ領域１３６ａより主音量の設定値を取得し、通常着信（電話着信）音量連動範囲設定データ領域１３６ｂより通常着信音量連動範囲を設定するための最大値（「連動範囲設定最大値」）を取得する（ステップＳ３１）。
【０１４６】
そして、ステップＳ３１で取得したデータにより、主音量が連動範囲設定最大値以下か否か判断する（ステップＳ３２）。主音量が連動範囲設定最大値以下でないと判断すると（ステップＳ３２、ＮＯ）、報知音量を連動範囲設定最大値とし（ステップＳ３７）、処理を終了する。
【０１４７】
ステップＳ３２において、主音量が連動範囲設定最大値以下であると判断すると（ステップＳ３２、ＹＥＳ）、通常着信音量連動範囲設定データ領域１３６ｂより通常着信音量連動範囲を設定するための最小値（「連動範囲設定最小値」）のデータを取得する（ステップＳ３３）。
【０１４８】
そして、主音量が連動範囲設定最小値以上か否か判断する（ステップＳ３４）。主音量が連動範囲設定最小値以上である場合（ステップＳ３４、ＹＥＳ）、報知音量を主音量の設定値とし（ステップＳ３５）、処理を終了する。一方、主音量が連動範囲設定最小値以上でない場合（ステップＳ３４、ＮＯ）、報知音量を連動範囲設定最小値とし（ステップＳ３６）、処理を終了する。
【０１４９】
以上の説明では、報知音量決定処理について、電話着信時に実行される報知音量決定処理（図１４の報知音発生処理のステップＳ１３）の例により説明した。同様の手順により、スケジュール管理に伴う警告報知音を発生する場合の報知音量決定処理（図１４のステップＳ１５）や、電子メール着信時の報知音量決定処理（図１４のステップＳ１７、Ｓ１９、Ｓ２０）を実行できる。
【０１５０】
ただし、スケジュール管理に伴う警告報知音を発生する場合の報知音量決定処理を実行する場合（図１４のステップＳ１５）、図１５のステップＳ３１において、主制御部１５０は、メモリ１３５の音量設定テーブル１３６のアラーム音量連動範囲設定データ領域１３６ｃより連動範囲設定最大値を取得する。また、ステップＳ３３において、主制御部１５０は、前記アラーム音量連動範囲設定データ領域１３６ｃより連動範囲設定最小値を取得する。
【０１５１】
また、電子メール着信時のうち、受信フォルダへの電子メールの着信時における報知音量決定処理を実行する場合（図１４のステップＳ１７）、図１５のステップＳ３１において、主制御部１５０は、メモリ１３５の音量設定テーブル１３６の電子メール着信音量連動範囲設定データ領域１３６ｄより、連動範囲設定最大値を取得する。また、ステップＳ３３において、主制御部１５０は、前記電子メール着信音量連動範囲設定データ領域１３６ｄより連動範囲設定最小値を取得する。
【０１５２】
また、電子メール着信時のうち、電子メール保管用フォルダ１への着信時における報知音量決定処理を実行する場合（図１４のステップＳ１９）、図１５のステップＳ３１において、主制御部１５０は、メモリ１３５の音量設定テーブル１３６の電子メール着信音量連動範囲設定データ領域１３６ｅより、連動範囲設定最大値を取得する。また、ステップＳ３３において、主制御部１５０は、前記電子メール着信音量連動範囲設定データ領域１３６ｅより連動範囲設定最小値を取得する。
【０１５３】
その他の電子メール保管用フォルダへの電子メールの着信時における報知音量決定処理を実行する場合（例えば、図１４のステップＳ２０）についても、音量設定テーブル１３６における、該当する電子メール着信音量連動範囲設定データ領域（電子メール保管用フォルダ１０であればデータ領域１３７ｆ）より連動範囲設定最大値及び最小値のデータを取得し、報知音量を決定する処理を行う。
【０１５４】
以上に説明した携帯電話機５０によると、スケジュール管理に基づく警告報知音、電話着信時の着信報知音、及び電子メール着信時の着信報知音の音量レベルは、主音量の音量レベルに連動して制御される。これにより、主音量の音量レベルを変更することで、警告報知音や着信報知音の音量レベルが変更される。
【０１５５】
即ち、携帯電話機５０によると、警告報知音や着信報知音の音量レベルを主音量に連動させて変化させる連動範囲を設定すると、主音量の設定値を変更することで、警告報知音や着信報知音を自動的に変更することができる。
【０１５６】
これにより、周囲の騒音などに応じて警告報知音や着信報知音の音量レベルを変更したい場合に、個別に変更する操作を行うことなく、主音量の音量レベルを変更する操作のみによって変更できる。これにより、周囲の騒音などに応じて逐次に警告報知音や着信報知音の音量を変更したい場合に、その変更が煩雑になることなく、簡易にされたものにできる。
【０１５７】
また、雑音センサが設けられた携帯電話機５０にあっては、周囲の騒音レベルを検出し、検出した騒音レベルに対応させた主音量の音量レベルが自動的に設定される。そして、この自動的に設定された主音量の音量レベルに連動させて、警告報知音や着信報知音の音量レベルが自動的に設定される。
【０１５８】
従って、雑音センサを設けた携帯電話機５０によると、主音量も自動的に設定されるので、適正な音量レベルの警告報知音や着信報知音を得るにあたり、より一層に操作を簡易にすることができる。
【０１５９】
なお、以上の説明では、警告報知音や着信報知音の音量レベルを主音量の音量レベルに連動させて変化させる連動範囲の設定について、ユーザがメイン表示部１０２に表示された設定画面を確認しつつ操作キーを操作して設定する例により説明した。前記連動範囲を設定するにあたり、連動範囲のデータを携帯電話機５０のデータ入出力端子を介して他のコンピュータ装置から入力することにより、メモリ１３５の音量設定テーブル１３６に連動範囲のデータを記憶するようにしてもよい。
【０１６０】
あるいは、前記連動範囲のデータが格納されたミニディスク等の記憶媒体を携帯電話機５０の記憶媒体用のスロットルに装填し、この記憶媒体より連動範囲のデータを読み込むことにより、メモリ１３５の音量設定テーブル１３６に連動範囲のデータを記憶するようにしてもよい。
【０１６１】
このように、前記連動範囲のデータを携帯電話機５０の外部から携帯電話機５０に入力するようにすると、携帯電話機５０自体を操作することなく連動範囲を設定することができ、前記連動範囲の設定を容易にできる。
【０１６２】
特に、携帯電話機では、操作キーの寸法的な制約や種類の制約があり、連動範囲のデータの入力操作は必ずしも容易でなく、不便な操作を伴う。従って、連動範囲のデータを携帯電話機５０の外部より入力するようにすると、前記不便な入力操作を解消でき、携帯電話機５０の使用性を向上させることができる。
【０１６３】
以上の説明では、携帯電話機５０の動作を制御するための制御プログラムは主制御部１５０のＲＯＭに格納されているとし、携帯電話機５０の動作を制御するためのその他のデータは主制御部１５０のＲＡＭや、メモリ１３５に記憶されているとして説明した。
【０１６４】
しかし、コンピュータを装置の全部又は一部として動作させ、上述の制御処理を行うプログラムを、フレキシブルディスク、ＣＤ−ＲＯＭ（Compact Disk Read-Only Memory）、ＤＶＤ（Digital Versatile Disk）、ＭＯ（Magneto Optical Disk）などのコンピュータ読み取り可能な記録媒体に格納して配布し、これをコンピュータにインストールし、上述の手段として動作させ、あるいは上述のステップを実行させてもよい。
【０１６５】
さらに、インターネット上のサーバ装置が有するディスク装置等にプログラムを格納しておき、例えば搬送波に重畳させてコンピュータにダウンロードする等してもよい。
【０１６６】
また、以上の説明では、携帯電話機５０の例により説明したが、携帯電話機以外の携帯式通信機により本発明を実施することもできる。即ち、本発明は、日常的に携帯可能に形成され、電話や電子メールのごとき情報を伝達するための情報伝達信号を受信し、該情報伝達信号の着信時に着信報知音を発する機能を備えるとともに、内部の処理動作において予め設定された所定の処理を行ったことを報知する警告報知音を発する携帯式通信機により実施することができる。前記内部の処理動作において予め設定された所定の処理の例として、予め設定されたスケジュールの到来をモニターするスケジュール管理を挙げることができる。
【０１６７】
このような携帯式通信機によると、日常的な携帯により、前記情報伝達信号の着信に伴う着信報知音、スケジュール管理のような内部の処理動作において予め設定された所定の処理に伴う警告報知音が、日常的に発生する。
【０１６８】
従って、これら着信報知音及び警告報知音の音量をこれらの音量の基準となる主音量の変更に連動して自動的に変更するようにすると、これらの音量を個別に変更することなく、主音量のみ変更して、これらの音量を変更することができる。これにより、携帯式通信機の操作を簡易にでき、その使用性を向上させることができる。
【０１６９】
また、本発明は、携帯式以外の通信機により実施することもできる。即ち、携帯式以外の通信機であっても、電話や電子メールのごとき情報を伝達するための情報伝達信号を受信し、該情報伝達信号の着信時に着信報知音を発する機能を備えるとともに、内部の処理動作において予め設定された所定の処理を行ったことを報知する警告報知音を発する通信機により実施することができる。
【図面の簡単な説明】
【０１７０】
【図１】本発明の一実施形態である携帯電話機の外観を示す図であり、開いた状態の携帯電話機の正面部分を眺めた平面図である。
【図２】閉じた状態の携帯電話機の外観を示す図である。図２（ａ）は閉じた状態の携帯電話機の蓋部の平面図である。図２（ｂ）は閉じた状態の携帯電話機の本体部の平面図である。
【図３】携帯電話機の信号処理にかかるブロック図である。
【図４】主制御部をより詳しく示すブロック図である。
【図５】スケジュール管理のためのデータを示す図である。
【図６】主音量の音量を設定する操作を示す図である。
【図７】アラーム音の音量を変化させる範囲を設定する操作を示す図である。
【図８】電話着信時の着信報知音の音量を変化させる範囲を設定する操作の一例を示す図である。
【図９】電話着信時の着信報知音の音量を変化させる範囲を設定する操作の他の例を示す図である。
【図１０】電子メール着信時の着信報知音を変化させる範囲を設定する操作の一例を示す図である。
【図１１】電子メール着信時の着信報知音を変化させる範囲を設定する操作の他の例を示す図である。
【図１２】警告報知音及び着信報知音の音量を制御するためのデータが格納されるデータ領域を示す図である。
【図１３】雑音センサを設けた携帯電話機のブロック図である。
【図１４】報知音発生処理のフローチャートである。
【図１５】報知音量決定処理のフローチャートである。
【符号の説明】
【０１７１】
５０・・・携帯電話機（報知音出力装置、通信装置）、５１  ・・・本体部、５２・・・ヒンジ部、５３・・・蓋部、１０１・・・スピーカ、１０２・・・メイン表示部、１０３・・・アンテナ、１０５・・・メールキー、１０６・・・十字キー（入力手段）、１０７・・・決定キー（入力手段）、１０８・・・アドレス帳キー、１０９・・・ネット接続キー、１１０・・・クリアキー、１１１・・・第一のオンフックキー、１１２・・・第二のオンフックキー、１１３・・・テンキー部、１１４・・・マイク、１１７・・・報知用ＬＥＤ、１２０・・・報知用スピーカ（出力手段、出力部）、１３０・・・無線部（無線通信部）、１３５・・・メモリ、１３６・・・音量設定テーブル（主音量設定手段、連動範囲設定手段）、１５０・・・主制御部（音量制御手段）、１５１・・・計時部、１５２・・・スケジュール設定部、１５３・・・スケジュール管理部、１５５・・・音量設定部、１５６・・・主音量設定部、１５７・・・アラーム音設定部、１５８・・・着信報知音設定部、１５９・・・電話／電子メール着信処理部（着信検出手段）、１６５・・・音声入出力部、１６６・・・スピーカ制御部（第１の出力指示手段、第２の出力指示手段）、１７０・・・雑音センサ（雑音検出手段）、１７１・・・雑音センサ制御部
【図１】
2006186644.tif 000003
【図２】
2006186644.tif 000004
【図３】
2006186644.tif 000005
【図４】
2006186644.tif 000006
【図５】
2006186644.tif 000007
【図６】
2006186644.tif 000008
【図７】
2006186644.tif 000009
【図８】
2006186644.tif 000010
【図９】
2006186644.tif 000011
【図１０】
2006186644.tif 000012
【図１１】
2006186644.tif 000013
【図１２】
2006186644.tif 000014
【図１３】
2006186644.tif 000015
【図１４】
2006186644.tif 000016
【図１５】
2006186644.tif 000017